(57)【特許請求の範囲】
【請求項１】
電子商取引（Ｅコマース）システムであって、
データベースであって、前記データベースは、
第１の製品に対応する、ウェブページから収集される情報を記憶する、ウェブページ収集および項目記憶装置、
を備える、データベースと、
前記データベースに通信可能に連結されるサーバであって、前記サーバは、
前記第１の製品に対応する複数の項目であって、前記ウェブページを訪問したユーザの数、および前記第１の製品の注文の数を少なくとも含む、前記複数の項目を、複数の時間セクション毎に収集するウェブページ情報収集処理装置と、
前記複数の時間セクションの各々における前記ウェブページを訪問したユーザの数、および前記第１の製品の注文の数に基づき、前記複数の時間セクションの各々についてそれぞれの値スコアを計算する、時間セクション値スコア計算装置と、
前記複数の時間セクションの各々についての値スコアに少なくとも部分的に基づき、前記第１の製品を発売および撤去する最適時間を判定する、製品発売／撤去最適時間判定装置と、
前記最適時間に前記第１の製品の製品発売および撤去と、前記第１の製品の再発売および再撤去を行う、製品発売／撤去処理装置と、
を備える、サーバと
を備える、Ｅコマースシステム。
【請求項２】
前記サーバは、
前記ウェブページを訪問したユーザの数が、事前に定義された期限において事前に定義された数に到達したかどうかを判定する、時間セクション判定装置であって、前記時間セクション判定装置は、前記ウェブページを訪問した前記ユーザの数が、前記事前に定義された期限において前記事前に定義された数に到達していない時に、前記ウェブページを訪問した前記ユーザの数が、前記期限において前記事前に定義された数に到達するまで、前記期限を新しい期限にまで増やし、前記時間セクション判定装置は、前記複数の時間セクションそれぞれの時間セクションの継続時間として、前記新しい期限を設定する、時間セクション判定装置
をさらに備える、請求項１に記載のＥコマースシステム。
【請求項３】
前記サーバは、
前記第１の製品に類似する第２の製品を特定し、前記第２の製品に対応する発売または撤去最適時間を判定し、前記第２の製品に対応する前記最適時間において、前記第１の製品の前記製品発売または撤去を行う、製品発売／撤去参照処理装置
をさらに備える、請求項１に記載のＥコマースシステム。
【請求項４】
前記サーバは、
前記第１の製品に対応する前記複数の項目の情報を収集するように、ユーザからのデータを受け入れる、ウェブページ情報収集対話型インターフェース
をさらに備える、請求項１に記載のＥコマースシステム。
【請求項５】
前記データベースは、
前記製品発売／撤去最適時間判定装置によって判定される通りの、前記第１の製品の発売または撤去のためのそれぞれの最適時間を記憶する、製品最適時間データ記憶装置、
をさらに備える、請求項１に記載のＥコマースシステム。
【請求項６】
前記時間セクション値スコア計算装置は、各時間セクションにおける前記複数の項目のそれぞれの発生数に基づき、前記複数の時間セクションの各々についてそれぞれの値スコアを計算する、請求項１に記載のＥコマースシステム。
【請求項７】
前記時間セクション値スコア計算装置は、合計（ｔ）＝ｑ１＊ｍ１＋ｑ２＊ｍ２＋…＋ｑｎ＊ｍｎの式を使用することによって、前記複数の時間セクションの各々についてそれぞれの値スコアを計算し、式中、ｑ１、ｑ２…ｑｎはそれぞれ、それぞれの項目データのそれぞれの割合を表し、ｍ１、ｍ２…ｍｎはそれぞれ、前記時間セクションにおけるそれぞれの項目のそれぞれの発生数を表し、合計（ｔ）は、前記時間セクションの値スコアを表す、請求項１に記載のＥコマースシステム。
【請求項８】
前記式は、合計（ｔ）＝ｑ１＊ｍ１＋ｑ２＊ｍ２の形態にあり、ｍ１は、時間セクションｔにおいて前記ウェブページを訪問したユーザの数であり、ｍ２は、前記時間セクションｔにおいてなされた前記注文の数であり、ｑ１は、ｍ１に対する加重値であり、ｑ２は、ｍ２に対する加重値である、請求項７に記載のＥコマースシステム。
【請求項９】
最適時間にウェブページ上で製品発売または撤去を達成するためのコンピュータが実施する方法であって、前記方法は、
第１の製品に対応するウェブページから収集される情報を記憶することと、
前記第１の製品に対応する複数の項目であって、前記ウェブページを訪問したユーザの数、および前記第１の製品の注文の数を含む、前記複数の項目を複数の時間セクション毎に収集することと、
前記複数の時間セクションの各時間セクションにおける前記ウェブページを訪問したユーザの数、および前記第１の製品の注文の数に基づき、前記複数の時間セクションの各時間セクションについてそれぞれの値スコアを計算することと、
前記複数の時間セクション各々についての値スコアに少なくとも部分的に基づき、前記第１の製品を発売および撤去する前記最適時間を判定することと、
前記最適時間において、前記ウェブページ上で前記第１の製品の発売および撤去と、前記第１の製品の再発売および再撤去を行うことと、
を含む、方法。
【請求項１０】
前記第１の製品に類似する第２の製品を特定することと、
前記第２の製品の製品発売のための、対応する最適時間を判定することと、
前記第２の製品の製品発売のための前記対応する最適時間において、前記ウェブページ上で前記第１の製品の製品発売を行うことと、
をさらに含む、請求項９に記載の方法。
【請求項１１】
ユーザが、１つ以上の製品に対応する複数の項目に関して、前記ウェブページから収集される情報を入力する、インターフェースを提供することと、
前記ユーザによって入力された通りに、１つ以上の製品に対応する前記複数の項目に関する前記情報を記憶することであって、前記情報は、前記複数の項目の各々の値スコアおよびそれぞれの加重値を計算するための基準を含む、記憶することと、
前記ユーザによって入力された前記情報に基づき、前記複数の時間セクションについて前記値スコアを計算することと
をさらに含む、請求項９に記載の方法。
【請求項１２】
前記複数の時間セクションの各時間セクションについて、それぞれの値スコアを計算することは、
合計（ｔ）＝ｑ１＊ｍ１＋ｑ２＊ｍ２＋…＋ｑｎ＊ｍｎの式を使用することによって、前記複数の時間セクションの各々についてそれぞれの値スコアを計算することであって、式中、ｑ１、ｑ２…ｑｎはそれぞれ、それぞれの項目データのそれぞれの割合を表し、ｍ１、ｍ２…ｍｎはそれぞれ、前記時間セクションにおけるそれぞれの項目のそれぞれの発生数を表し、合計（ｔ）は、前記時間セクションの値スコアを表すこと
を含む、請求項９に記載の方法。
【請求項１３】
前記第１の製品に対応する前記複数の項目に関して、前記ウェブページから収集される情報を記憶することは、
最低期限および最高期限を判定することと、
前記最低期限を既定の期限として設定することと、
前記ウェブページを訪問したユーザの数が、前記既定の期限において事前に定義された数に到達したかどうかを査定することと、
前記ウェブページを訪問したユーザの数が、前記既定の期限において前記事前に定義された数に到達していなかった時に、前記既定の期限を増やすことと、
前記ウェブページを訪問したユーザの数が、前記既定の期限において前記事前に定義された数に到達していた時に、前記既定の期限を前記それぞれの時間セクションの継続時間として設定することと
を含む、請求項９に記載の方法。
【請求項１４】
前記最適時間を判定することは、最高値スコアを伴う時間セクションを前記最適時間であると判定することを含む、請求項９に記載の方法。
【発明の詳細な説明】
【技術分野】
【０００１】
関連特許出願の相互参照
本出願は、２００９年９月１１日に出願された、「ＳＹＳＴＥＭ  ＡＮＤ  ＭＥＴＨＯＤ  ＯＦ  ＯＰＴＩＭＡＬ  ＴＩＭＥ  ＦＯＲ  ＰＲＯＤＵＣＴ  ＬＡＵＮＣＨ  ＡＮＤ  ＤＥＬＡＵＮＣＨ  ＩＮ  Ｅ−ＣＯＭＭＥＲＣＥ」という名称の、中国特許出願第２００９１０１７６２５４．８号から優先権を主張し、当該出願はここに引用することによりその全体が本明細書に組み込まれる。
【０００２】
本開示は、インターネット技術の分野に関し、より具体的には、製品を発売または撤去する最適時間を達成するための電子商取引、すなわちＥコマースシステムおよび方法に関する。
【背景技術】
【０００３】
現代情報技術の進歩により、ウェブ基盤の取引が人々から支持され、より多くの注目を集めている。ウェブ基盤の取引は、地域による制限（特に遠隔の郊外および郡）を受けず、かつ営業時間によって制限されない。安全なオンライン取引に対する要件が整っている限り、誰もが、家庭からまたはオフィスからオンラインで容易にかつ便利に注文することができる。
【０００４】
図１は、クライアント端末１１、商人端末１２、およびＥコマースプラットフォーム１３から成る、一般に見られるＥコマースシステムの基本的構造の概略図である。クライアント端末１１、商人端末１２、および電子商取引（以下「Ｅコマース」）プラットフォーム１３は、インターネットを通じて互いに接続される。商人端末１２が、Ｅコマースプラットフォーム１３において対応する商人名を作成し、Ｅコマースプラットフォーム１３によって商人の製品を表示する。通常、所与の商人の全製品（または、商人の仮想店舗製品とも呼ぶ）は、リンクされているウェブページの中に設定される。異なる商人の仮想店舗情報が各Ｅコマースプラットフォーム１３に設定され、他のＥコマースプラットフォームの情報までも設定され、Ｅコマースプラットフォーム１３を通して、他の商人の製品情報が表示される。クライアント端末１１は、インターネットを通じてＥコマースプラットフォーム１３にログインし、所望の製品を選択して、商人の仮想店舗から購入する。クライアント端末１１と商人端末１２との間の良好な支払い決済は、良好な支払いを決済するための金融システムを持つ、第三者の支払いプラットフォーム、速達の配送業者、あるいは銀行または他の金融機関を通じて行うことができる。強調される必要があるのは、多くの商人はまた買い手でもあるため、商人端末１２とクライアント端末１１との間に厳密な境界はないことである。したがって、本開示において言及する商人端末１２およびクライアント端末１１は、提案する本出願の技術を説明する目的で分離され、全ての製品供給者を商人端末１２、または全ての買い手をクライアント端末１１として限定するものではない。
【０００５】
Ｅコマースプラットフォーム１３は主に、サーバ１３１およびデータベース１３２を含む。データベース１３２は主に、商人名、製品情報、クライアント情報、および製品取引情報を含む、商人情報を記憶するのに使用される。サーバ１３１は主に、インターフェース表示処理装置、対話型処理装置、および取引処理装置から成る。インターフェース表示処理装置は、製品情報を表示するのに使用される。対話型処理装置は、商人とクライアントとの間の意思疎通を処理するのに使用される。取引処理装置は取引を処理するのに使用される。
【０００６】
Ｅコマースプラットフォーム１３と契約を締結する商人は、大企業である。各商人は数々の製品を供給し、インターフェース表示処理装置が商人の製品を表示するには、ある程度の難しさがある。製品表示を制御するインターフェース表示処理装置の一般的な使用方法を以下に述べる。
【０００７】
第１に、各商人には、自店の製品情報を表示するウェブページアドレスが提供される。次に、製品を表示するためのルールが規定される。表示ルールによって、商人の製品は最初から最後まで「発売」状態にあるべきではないと定めることができる。製品発売とは、商人のウェブページおよびその全てのサブページシステムに情報を提供する、Ｅコマースプラットフォーム１３に製品情報が現れることを指し、サブページシステムとは商人のウェブページのサブページ、サブページの後に続くサブページ等を指す。
【０００８】
インターフェース表示処理装置は、商人のウェブページおよびそのサブページが、事前に定義された最大発売期間（例えば、７日）に到達した製品を含むかどうかを確認する。もし含む場合、製品は撤去プロセスへ移行する。撤去プロセスは、クライアントがウェブページを訪問することができなくなるように、製品のウェブページを不通にすることを意味する。製品の発売について、商人は自店の経験に基づき、多くの訪問者および取引がある時間に製品を発売すべきである。
【０００９】
製品の発売および撤去以外に、インターフェース表示処理装置は商人の製品リストを制御する。撤去時間に最も近い製品情報は、リストのトップに表示される。インターフェース表示処理装置によって、製品リストのトップに表示される製品の対応するウェブページを、クライアントが容易に訪問することを可能にする。
【００１０】
製品を発売または撤去する現在の方法は、以下の欠点を有する。
【００１１】
第１に、製品の発売に関する統一ルールがない。Ｅコマースプラットフォームは、製品の発売を制御する手段を有さず、製品を発売できるかどうかを単独で制御するように、自身で定義したルール（例えば、開始時に、商人は１０点以下の製品を発売することができる）のみを使用することができる。しかしながら、特定の製品（または製品群）を対象とした制御を提供することはできない。例えば、年配者向け老眼鏡は、通常、夜よりも朝に発売されるのがより良く、若者向けの流行の品目は、通常、朝より夜または午後に発売される方が良い。商人は、商人自身の経験に基づき、いつ製品を発売するかを決定するのみである。製品を発売するこの方法は、特に数々の製品を発売する場合、商人にとって困難となる。商人は、不的確な製品発売時間のために、販売の機会を容易に逃し得る。
【００１２】
次に、インターフェース表示処理装置は、事前に定義された最大発売期間（例えば、７日）に到達した製品に関する、商人のウェブページおよびそのサブページを確認する。これらの製品は撤去プロセスへ移行する。撤去プロセスを制御するこの方法はまた、技術的な不一致を引き起こす。例えば、ある製品が売り切れても、商人は製品を撤去することを忘れる。上述の処理手段が継続することが許される場合、売り切れた製品は大量の資源を利用し、その結果損失をもたらすであろう。
【００１３】
最後に、撤去時間に最も近い製品情報は、製品リストのトップに表示される。発売中の製品が多く存在する時に、インターフェース表示処理装置は、製品リストに品目を配置および表示するために、大量の時間および資源を利用する必要があり、それゆえ、資源を浪費し、クライアントへの情報提供において遅延を引き起こす。
【発明の概要】
【００１４】
本開示は、製品を発売または撤去する最適時間を達成するための、かつ製品を発売または撤去するために大量のシステム資源を使い尽くし、商人に製品の発売または撤去時間を現実的に提供することができない、現在の技術に関する問題を解決するためのＥコマースシステムを導入する。
【００１５】
本開示の別の目的は、製品を発売または撤去する最適時間を達成するための方法を提供し、製品を発売または撤去するために大量のシステムの資源を使い尽くし、商人に製品の発売または撤去時間を現実的に提供することができない、現在の技術に関する問題を解決することである。
【００１６】
一態様では、電子商取引（Ｅコマース）システムは、データベースと、データベースに通信可能に連結されるサーバとを備える。
【００１７】
当該データベースは、第１の製品に対応する１つ以上の項目に関して、ウェブページから収集される情報を記憶する、ウェブページ収集および項目記憶ユニットを備えることができる。
【００１８】
当該サーバは、ウェブページ情報収集処理装置、時間セクション値スコア計算装置、製品発売／撤去最適時間判定装置、および製品発売／撤去処理装置を備えることができる。ウェブページ情報収集処理装置は、ウェブページによって収集される項目関連データを集めることができる。時間セクション値スコア計算装置は、複数の時間セクションの各々についてそれぞれの値スコアを計算することができる。製品発売／撤去最適時間判定装置は、複数の時間セクションについての第１の製品の値スコアに基づき、第１の製品を発売または撤去する最適時間を判定することができる。製品発売／撤去処理装置は、最適時間に第１の製品の製品発売または撤退を行うことができる。
【００１９】
一実施形態では、当該サーバはさらに、時間セクション判定装置を備えることができる。時間セクション判定装置は、ウェブページを訪問したクライアントの数が、事前に定義された期限において事前に定義された値に到達したかまたは超えたかどうかを判定することができる。時間セクション判定装置は、ウェブページを訪問したクライアントの数が、事前に定義された期限において事前に定義された値に到達していないかまたは超えていない時に、ウェブページを訪問したクライアントの数が、期限において事前に定義された値に到達するかまたは超えるまで、期限を新しい期限にまで増やすことができる。時間セクション判定装置は、新しい期限をそれぞれの時間セクションの継続時間として設定することができる。
【００２０】
一実施形態では、当該サーバはさらに、製品発売／撤去参照処理装置を備えることができる。製品発売／撤去参照処理装置は、第１の製品に類似する第２の製品を特定し、第２の製品に対応する発売または撤去最適時間を判定し、第２の製品に対応する最適時間において、第１の製品の製品発売または撤去を行うことができる。
【００２１】
一実施形態では、当該サーバはさらに、ウェブページ情報収集対話型インターフェースを備えることができる。ウェブページ情報収集対話型インターフェースは、第１の製品に対応する１つ以上の項目の情報を収集するように、ユーザからのデータを受け入れることができる。
【００２２】
一実施形態では、当該データベースはさらに、製品最適時間データ記憶装置を備えることができる。製品最適時間データ記憶装置は、製品発売／撤去最適時間判定装置によって判定される通りの、第１の製品の発売または撤去のためのそれぞれの最適時間を記憶することができる。
【００２３】
一実施形態では、時間セクション値スコア計算装置は、各時間セクションにおける１つ以上の項目のそれぞれの発生数に基づき、複数の時間セクションの各々について、それぞれの値スコアを計算することができる。
【００２４】
一実施形態では、ウェブページによって収集される情報は、ウェブページへのユーザの訪問時間、ウェブページを訪問したユーザの情報、およびユーザによってなされた注文の時間を含むことができる。
【００２５】
一実施形態では、時間セクション値スコア計算装置は、合計（ｔ）＝ｑ1＊ｍ1＋ｑ2＊ｍ2＋…＋ｑn＊ｍnの式を使用することによって、複数の時間セクションの各々についてそれぞれの値スコアを計算することができ、式中、ｑ1、ｑ2…ｑnはそれぞれ、ウェブページによって集められる必要がある、それぞれの項目データのそれぞれの割合を表し、ｍ1、ｍ2…ｍnはそれぞれ、時間セクションにおけるそれぞれの項目のそれぞれの発生数を表し、合計（ｔ）は、時間セクションの値スコアを表す。式が合計（ｔ）＝ｑ1＊ｍ1＋ｑ2＊ｍ2の形態にある時、ｍ1は、時間セクションｔにおいてウェブページを訪問したユーザの数であり、ｍ2は、時間セクションｔにおいてなされた注文の数であり、ｑ1は、ｍ1に対する加重値であり、ｑ2は、ｍ2に対する加重値である。
【００２６】
別の態様では、最適時間にウェブページ上で製品の発売または撤去を達成するための方法が提供される。当該方法は、第１の製品に対応する１つ以上の項目に関して、ウェブページから収集される情報を記憶することと、複数の時間セクションの各時間セクションにおいて、１つ以上の項目に関連するデータを収集することと、各時間セクションにおける１つ以上の項目のそれぞれの発生数に基づき、複数の時間セクションの各時間セクションについてそれぞれの値スコアを計算することと、複数の時間セクションについての第１の製品の値スコアに基づき、第１の製品を発売または撤去する、最適時間を判定することと、最適時間において、ウェブページ上で第１の製品の発売または撤去を行うことと、を含むことができる。
【００２７】
一実施形態では、当該方法はさらに、第１の製品に類似する第２の製品を特定することと、第２の製品の製品発売のための対応する最適時間を判定することと、第２の製品の製品発売のための対応する最適時間において、ウェブページ上で第１の製品の製品発売を行うこととを含むことができる。
【００２８】
一実施形態では、当該方法はさらに、ユーザが、１つ以上の製品に対応する１つ以上の項目に関して、ウェブページから収集される情報を入力するように、インターフェースを提供することと、ユーザによって入力された通りに、１つ以上の製品に対応する１つ以上の項目に関する情報を記憶することであって、情報は、１つ以上の項目の各々の値スコアおよびそれぞれの加重値を計算するための基準を含むことと、ユーザによって入力された情報に基づき、複数の時間セクションについて値スコアを計算することとを含むことができる。
【００２９】
一実施形態では、複数の時間セクションの各時間セクションについて、それぞれの値スコアを計算することは、合計（ｔ）＝ｑ1＊ｍ1＋ｑ2＊ｍ2＋…＋ｑn＊ｍnの式を使用することによって、複数の時間セクションの各々についてそれぞれの値スコアを計算することを含むことができ、式中、ｑ1、ｑ2…ｑnはそれぞれ、ウェブページによって集められる必要がある、それぞれの項目データのそれぞれの割合を表し、ｍ1、ｍ2…ｍnはそれぞれ、時間セクションにおけるそれぞれの項目のそれぞれの発生数を表し、合計（ｔ）は、時間セクションの値スコアを表す。
【００３０】
一実施形態では、第１の製品に対応する１つ以上の項目に関して、ウェブページから収集される情報を記憶することは、最低期限および最高期限を判定することと、最低期限を既定の期限として設定することと、ウェブページへのクライアントの訪問数が、既定の期限において事前に定義された値を超えたかどうかを査定することと、ウェブページへのクライアントの訪問数が、既定の期限において事前に定義された値を超えていなかった時に、既定の期限を増やすことと、ウェブページへのクライアントの訪問数が、既定の期限において事前に定義された値を超えていた時に、既定の期限をそれぞれの時間セクションの継続時間として設定することとを含むことができる。
【００３１】
一実施形態では、最適時間を判定することは、最高値スコアを伴う時間セクションを最適時間であると判定することを含むことができる。
【００３２】
現在の技術と比較して、本開示において提供される技術は、幾つかの利点を有する。第１に、本開示は、商人の製品を制御し、製品の発売または撤去を自動的に完了し、そのため、商人がこのプロセスを制御する必要はなく、それゆえ商人の一部への当惑を防止する。Ｅコマースプラットフォームは、製品発売または撤去プロセスにおける混乱を確認するための、さらなる資源を必要としない。次に、提案する技術は、商人に焦点を当て、商人の独自製品に対して自己適応できる発売または撤去時間を提供する。商人にとって実装するのは便利であり、計算方法は単純であり、製品の発売または撤去は、最適時間に自動的に完了するであろう。最後に、本開示によって、製品がさらなる資源を使い尽くさないように、売り切れた製品に対して撤去プロセスが実行されるであろう。これにより、資源利用の強化がもたらされるであろう。
【図面の簡単な説明】
【００３３】
【図１】従来のＥコマースシステムの図である。
【図２】本開示に従うＥコマースシステムの図である。
【図３】本開示に従うＥコマースプラットフォームの基本構造の図である。
【図４】本開示に従い、製品の発売または撤去のための最適時間を達成するための方法のフローチャートである。
【発明を実施するための形態】
【００３４】
図２は、本開示に従い、製品を発売または撤去する最適時間を達成するためのＥコマースシステムを図示する。当該システムは、Ｅコマースプラットフォーム２３、商人端末２２、およびクライアント端末２１を備える。Ｅコマースプラットフォーム２３、商人端末２２、およびクライアント端末２１は、インターネットおよび無線通信ネットワーク等、１つ以上のネットワークを通じて互いに通信可能に連結される。
【００３５】
クライアント端末２１および商人端末２２は、携帯電話等、ネットワーク端末または携帯端末のいずれかであり得る。クライアント端末２１および商人端末２２はまた、ローカルエリアネットワーク（ＬＡＮ）の中のノードであり得る。原則として、クライアント端末２１および商人端末２２は、ネットワークを通じてＥコマースプラットフォーム２３へログインすることができる。
【００３６】
論理的視点から、Ｅコマースプラットフォーム２３は、図３に示す通り、データベース３１と、データベース３１に通信可能に連結されるサーバ３２とを備える。一実施形態では、データベース３１およびサーバ３２の両方は、シングルプロセッサ基盤のサーバの中に実装される。代替的に、データベース３１は、サーバ３２とは異なる、１つ以上のプロセッサ基盤のサーバの中に実装される。一実施形態では、サーバ３２は、１つ以上のプロセッサ基盤のサーバの中に実装される。
【００３７】
図３を参照すると、データベース３１は、以下に記載するようなコンポーネントを含む。
【００３８】
ウェブページ収集および項目記憶装置３１１は、製品に対応する１つ以上の項目に関して、ウェブページから収集される情報を記憶する。システム（Ｅコマースプラットフォーム２３等）が、製品を発売または撤去するための最適時間を達成するためのソフトウェアを、商人に提供する時に、当該システムは最初に、収集される製品に既定の項目情報を提供することができる。例えば、その情報が収集される項目は、以下のウェブページ上の商人の各製品に対するクライアントの訪問頻度、訪問の継続時間、クライアントがある製品を注文し購入する時間等を含むことができる。項目名のほかに、項目の項目情報もまた、それらの情報が収集される全項目の中の項目の割合を含むことができる。一実施形態では、ウェブページによって収集される情報は、ウェブページへのクライアントの訪問時間、ウェブページを訪問したクライアントの情報、およびクライアントによってなされた注文の時間を含む。
【００３９】
幾つかの実施形態では、ウェブページ収集および項目記憶装置３１１は、商人によって入力される製品用のウェブページ項目情報を記憶することができる。また、各商人は、各製品の対応するウェブページによって収集される必要がある、項目情報を規定することができる。
【００４０】
製品最適時間データ記憶装置３１２は、各製品を発売または撤去するためのそれぞれの最適時間を記憶する。製品最適時間データ記憶装置３１２は、ある商人のある製品を発売するための最適時間を記憶することができるだけでなく、複数の製品を発売するための最適時間および撤去するための最適時間の両方を保存することもできる。通常、製品の撤去は、典型的には別の製品の発売と同時に行われ、それゆえ、当該実施形態は、ある商人のある製品を発売するための最適時間を記憶するのみであり、その最適時間は別の製品の撤去とおおよそ同じ時間である。加えて、製品の発売および撤去に対する期限を設定することができる。例えば、製品の発売日を１月１日午後３時に設定する。撤去日を、１月８日午後３時に設定するか、または撤去締め切り期日にまだ到達していない場合でも、一度売り切れると撤回することができる。
【００４１】
一実施形態では、商人の全製品の発売最適時間および撤去最適時間を記憶することによって、商人の視点から考慮が行われる。多くの商人が多くの製品を有することを考慮する場合、ならびに全製品の発売最適時間および撤去最適時間を記憶する場合、これによって必要とする記憶空間の使用が増加するであろう。製品最適時間データ記憶装置３１２は、商人の事前に定義された製品の発売最適時間のみを記憶するように構成することができる。
【００４２】
一実施形態では、サーバ３２は以下を含む。
【００４３】
ウェブページ情報収集対話型インターフェース３２１は、製品に対応する１つ以上の項目に関連する情報を収集するように、商人等のユーザによって入力されたデータを受け入れる。例えば、ウェブページ情報収集対話型インターフェース３２１は、商人がウェブページ上に一覧化された商人の製品に関する項目情報を記入することができる、インターフェースを商人に提供する。商人から収集される項目情報は、項目の名前、それらの情報が収集される全項目の中の項目の割合等を含むことができる。各商人によって提供される項目情報が多様で異なり得ることを考慮すれば、全項目情報を共に集めるにはある程度の困難がある場合があり、それゆえ、このサンプルの実施形態は、収集されるように事前に定義されていた項目のみを列挙する。概して、本方法は、個々の要件を満足することができる、収集されたウェブページ情報を提供することができるであろう。
【００４４】
時間セクション判定装置３２２は、ウェブページを訪問したクライアントの数が、事前に定義された期限において事前に定義された値に到達したかまたは超えたかどうかを判定する。時間セクション判定装置３２２は、事前に定義された値に到達していなかったか、または超えていなかった場合、ウェブページを訪問したクライアントの数が、事前に定義された値に到達したか、または超えたと判断されるまで、期限を増やすことができる。増えた長さを伴う対応する期限は、時間セクションの継続時間として設定することができる。ウェブページを訪問したクライアントの数が、事前に定義された値に到達したかまたは超えたかどうかを判定するほかに、時間セクション判定装置３２２はまた、ウェブページへの訪問頻度が、事前に定義された期限において事前に定義された頻度に到達したかまたは超えたかどうかを判定することもできる。動作の原理は同じであり、そのため、詳細な説明は簡略化のため提供しない。期限は、１日以内または１日より多い日数内の場合があるが、通常、１日以内に設定される。
【００４５】
事前に定義された期限が１時間で、要件が１時間の期限内に対応する製品ウェブページへのクライアントの訪問が少なくとも３回あると仮定すると、時間セクション判定装置３２２は、１時間の期限において製品ウェブページを訪問したクライアントが３人いるかどうかを査定することができる。訪問数が少なくとも３回である場合、現在の期限（１時間）は時間セクションの継続時間として設定することができる。言い換えると、１日である２４時間は、２４の時間セクションに分割することができ、各々が継続時間として１時間となる。他方で、期限内に製品ウェブページを訪問したクライアントが３人より少なかった場合、時間セクション判定装置３２２は期限を増やすことができる。例えば、時間セクション判定装置３２２は、期限を１．５時間にまで増やし、その後、１．５時間以内に、製品ウェブページを訪問したクライアントが少なくとも３人いるかどうかを再び判定することができる。時間セクション判定装置３２２は、製品ウェブページを訪問したクライアントが少なくとも３人いる新しい期限に到達するまで、このプロセスを繰り返すことができる。その後この新しい期限は、時間セクションの継続時間として設定することができる。
【００４６】
一実施形態では、時間セクション判定装置３２２は、期限を評価するために、製品に対する注文の量を使用することができる。例えば、特定の製品に対する注文数が、期限内に事前に定義された注文数に到達した時に、このような期限を、時間セクションの継続時間として設定することができる。別の例として、期限内に、特定の製品に対する注文の合計金額が事前に定義された金額に到達した場合、期限は時間セクションの継続時間として設定することができる。
【００４７】
一実施形態では、時間セクション判定装置３２２は、任意である場合がある。このような場合、当該システムは、例えば、１時間の時間セクションで、１日の中に２４個の時間セクションがあるような、既定の時間セクションを使用することができる。
【００４８】
ウェブページ情報収集処理装置３２３は、各時間セクションにおいてウェブページによって収集される関連項目データを集める。ウェブページ情報収集処理装置３２３は、通常、既存のインターフェース表示処理装置に接続されるか、またはインターフェース表示処理装置と組み合わせられる。
【００４９】
一例としてあるウェブページへの訪問頻度を用いて説明すると、ウェブページ情報収集処理装置３２３は、ウェブページがクリックされたという通知を受信した後、ウェブページへのクライアント訪問頻度の値を１だけ増加させる。同じＩＰアドレスから来るクライアントを、１人の同じクライアントとみなすことができる。ウェブページ情報収集処理装置３２３は、ウェブページがクリックされたという通知を受信した後、クライアントのＩＰアドレスを、ウェブページを訪問したクライアントの保存されたＩＰアドレスと比較する。合致するＩＰアドレスがない場合、ウェブページ情報収集処理装置３２３は、クライアントのＩＰアドレスを保存し、ウェブページへのクライアント訪問頻度の値を１だけ増加させる。しかしながら、ウェブページへの訪問者は、必ずしも買い手ではなく商人でもあり得る。クライアントおよび商人は、通常、最初にＥコマースプラットフォーム２３に会員として登録する。ウェブページ情報収集処理装置３２３は、ウェブページがクリックされたという通知を受信すると、ウェブページをクリックした会員の情報を確認し、会員のＩＤを保存し、ウェブページへのクライアント訪問頻度の値を１だけ増加させる。ウェブページをクリックしたクライアントが、現在の時間セクションにおいて既にウェブページをクリックしていた場合、別の選択肢は、ウェブページへのクライアント訪問頻度の値を増加させないことである。ウェブページへのクライアント訪問頻度は、事前に定義されたルールに基づき計算される。
【００５０】
時間セクション値スコア計算装置３２４は、複数の時間セクションの各時間セクションについてそれぞれの値スコアを計算する。これは、例えば、式、合計（ｔ）＝ｑ1＊ｍ1＋ｑ2＊ｍ2＋…＋ｑn＊ｍnを使用することによって行うことができ、式中、ｑ1、ｑ2、…ｑnはそれぞれ、ウェブページによって集められる必要がある、それぞれの項目データのそれぞれの割合を表し、ｍ1、ｍ2、…ｍnはそれぞれ、時間セクションにおけるそれぞれの項目のそれぞれの発生数を表し、合計（ｔ）は、時間セクションの値スコアを表す。
【００５１】
例えば、合計（ｔ）＝ｑ1＊ｍ1＋ｑ2＊ｍ2では、ｍ1は、時間セクションｔにおいてウェブページを訪問したクライアントの数であり、ｍ2は、時間セクションｔにおいてクライアントが注文した回数であり、ｑ1は、ホームページへのユーザの訪問に対する加重値であり、ｑ2は、ユーザの注文に対する加重値である。
【００５２】
製品発売／撤去最適時間判定装置３２５は、各時間セクションについての製品の値スコアに基づき、製品を発売または撤去する最適時間を判定する。
【００５３】
一実施形態では、発売時間は最高値スコアを伴う時間セクションである。
【００５４】
製品発売／撤去処理装置３２６は、製品発売または撤去を完結させるように、最適時間において製品の発売または撤去を行う。
【００５５】
製品が発売される時に、製品発売／撤去処理装置３２６は、以前に発売された類似の（または同じタイプの）製品の最善の発売時間を参照し、続いてその最適時間中に懸案である製品を発売することができる。一実施形態では、製品は、最高値スコアを伴う時間セクションにおいて発売するか、または最高値スコアを伴う時間セクションに到達する前に発売することができる。製品が発売された後、発売のための最適時間が計算され、製品最適時間データ記憶装置３１２に記憶することができる。これは、類似の（または同じタイプの）製品の将来の発売に関する参照として機能するであろう。
【００５６】
一実施形態では、製品発売／撤去処理装置３２６はまた、製品の取引量を計算するのに使用することができる。例えば、取引量が製品に対して事前に定義された総量に到達すると、製品は撤去される場合がある。
【００５７】
一実施形態では、サーバ３２はまた、製品発売／撤去参照処理装置３２７を含む。製品発売／撤去参照処理装置３２７は、懸案である製品に類似する製品を見つけ出し、類似製品に対応する発売または撤去最適時間を特定し、類似製品に対応する最適時間において、懸案である製品の製品発売または撤去を行う。
【００５８】
上記装置は、論理的に別個である場合があり、物理的に別個である場合もある。通常は論理的に別個である。これらの装置は、通常、１つ以上のハードウェアプラットフォームの中のソフトウェアモジュールを使用して実装される。例えば、１つ以上の製品の発売または撤去のための最適時間に関するソフトウェアを作成し、その後、商人の仮想店舗にソフトウェアをインストールすることができる。製品を発売する必要がある時に、ソフトウェアは製品を発売する最適時間を検索し、その後、特定された最適時間において製品を自動的に発売することができる。製品を撤去する必要がある時に、ソフトウェアは製品を撤去する最適時間を検索し、その後、特定された最適時間において製品を自動的に撤去することができる。
【００５９】
図４は、本開示において言及する通り、製品を発売または撤去するための最適時間を達成する、方法またはプロセスのための流れ図を図示する。プロセスは、以下に記載する通り、幾つかのアクションを含む。
【００６０】
Ｓ１１０：当該プロセスは、製品に対応する１つ以上の項目に関して、ウェブページから収集される情報を設定および記憶する。
【００６１】
項目情報は、システムによって提供される既定の項目情報、およびまた商人によって提供される項目情報である場合がある。項目情報は、製品のウェブページへのクライアント訪問の頻度、クライアントの注文情報等を含むことができる。
【００６２】
一実施形態では、当該プロセスは、ユーザが１つ以上の製品に対応する１つ以上の項目に関して、ウェブページから収集される情報を入力するように、インターフェースを提供することができる。当該プロセスは、ユーザによって入力された通りに、１つ以上の製品に対応する１つ以上の項目に関して情報を記憶することができる。情報は、１つ以上の項目の各々の値スコアおよびそれぞれの加重値を計算するための基準を含むことができる。当該プロセスは、ユーザによって入力された情報に基づき、複数の時間セクションについて値スコアを計算することができる。
【００６３】
Ｓ１２０：各時間セクションにおいて、当該プロセスは、ウェブページによって収集された項目に関連するデータを集める。
【００６４】
商人が製品を発売または撤去する最適時間を達成するための機能を開く時、および、システムがウェブページによって収集される、以前に保存された項目情報を取得した後、当該プロセスは、各項目用のデータの収集方法に関する動作指示を始動することができる。ウェブページが訪問され始動条件を満たすと、当該プロセスは、対応する項目関連データの収集を終了するように動作指示に従うであろう。
【００６５】
項目関連データは、いかなる期間中の項目関連データであってもよい。例えば、午前８時から午前９時まで、項目関連データを収集するのが望ましい場合でも、当該プロセスは、午前１０時に項目関連データを収集する場合がある。当然ながら、システムの処理状態に従い、項目データを何時に収集すべきかを決定することが可能である。例えば、システムが、午前１時から午前５時まで混んでいない場合があり、そのため、例えば午前２時に項目データを収集するように、動作指示を始動することが理想的である場合もある。
【００６６】
Ｓ１３０：当該プロセスは、各時間セクションについてそれぞれの値スコアを計算する。式、合計（ｔ）＝ｑ1＊ｍ1＋ｑ2＊ｍ2＋…＋ｑn＊ｍnでは、ｑ1、ｑ2…ｑnの各々は、ウェブページによって収集される必要のある、それぞれの項目関連データのそれぞれの割合であり、ｍ1、ｍ2、…ｍnの各々は、特定の時間セクションにおけるそれぞれの項目のそれぞれの発生数であり、合計（ｔ）のｔは、時間セクションの値スコアである。
【００６７】
時間セクションは、１日を２４の時間セクションに分割する等、各時間セクションを１時間として事前に定義され得る。時間セクションはまた、以下に記載するステップを使用して導出することもできる。
【００６８】
Ａ１：最低および最高期限を判定する。
【００６９】
「期限」は、項目情報を集めるための期限を指す。最低期限および最高期限は、それぞれ、予想される最低期限および最高期限を指す。期限が短ければ短いほど、当該システムはより多くの項目収集を行う必要があり、それゆえ、より多くのシステム資源が使用される。したがって、最低期限は事前に定義される必要がある。期限が十分に高い値である時、収集される関連項目情報は、将来の発売または撤去のための基礎として使用することはできない。したがって、最低期限および最高期限は事前に定義される必要がある。
【００７０】
Ａ２：最低期限を期限として設定する。
【００７１】
Ａ３：ウェブページへのクライアントの訪問数が、期限において事前に定義された値を超えたかどうかを査定する。超えていない場合にはＡ４に進み、そうでなければ、現在の期限が時間セクションの継続時間として設定されるであろう。
【００７２】
Ａ４：期限を増やす。期限が最高期限ほど高い値でない場合にはＡ３に行き、そうでなければ終了である。期限が増やされる上限となる時間の長さを、事前に判定することができる。
【００７３】
この方法により、各商人の特定の状況に基づき、対応する期限を判定することができる。
【００７４】
値スコアを計算するための式は、システムによって提供することができる。商人はまた、項目、および項目が占める割合を設定することができる。
【００７５】
Ｓ１４０：各時間セクションについての製品の値スコアに基づき、当該プロセスは製品を発売または撤去する最適時間を判定する。
【００７６】
通常の状況では、最高値スコアを伴う時間セクションは、製品または類似の製品を発売するための最適時間とみなすことができる。最低値スコアを伴う時間セクションは、製品または類似の製品を撤去するための最適時間とみなすことができる。
【００７７】
Ｓ１５０：当該プロセスは、ウェブページ上での製品発売または撤去のための最適時間において、製品発売または撤去を行う。
【００７８】
新製品が最初に発売される時に、最適時間を得るべき製品履歴の値スコアは存在しない。したがって、当該プロセスは、最初に新製品に類似する製品を特定し、類似製品の製品発売のための対応する最適時間を判定し、その後、類似製品の製品発売のための対応する最適時間において、ウェブページ上で新製品の製品発売を行うことができる。
【００７９】
製品が一旦発売された後、および再び発売される時に、当該システムは、製品発売を始動させるために、製品の以前の発売時間を考慮することができる。製品の取引量を判定することもできる。製品の取引量が製品に対して事前に定義された総量に到達すると、製品は撤去される場合がある。
【００８０】
上記プロセスは、ソフトウェアまたはハードウェアにおいて実装することができる。一実施形態では、上記プロセスは、１つ以上のコンピュータが読み取り可能な記憶媒体上に記憶された、コンピュータで実行可能な指示またはコードの形態で実行することができ、当該記憶媒体は、１つ以上の演算デバイスのうちの１つ以上のプロセッサによって実行される時、１つ以上の演算デバイスにプロセスを行わせることができる。１つ以上のコンピュータが読み取り可能な記憶媒体は、例えば、ＣＤ／ＲＯＭのようなコンパクトディスク、フラッシュメモリ、ＥＥＰＲＯＭ、内部または外部ハードドライブ、ＵＳＢドライブ、あるいはデータまたはコンピュータで実行可能な指示を記憶することができるいかなるメモリデバイスであってもよい。
【００８１】
本開示は、幾つかの例である実施形態のみを提供する。しかしながら、本開示は、これらの例によって限定されず、本技術分野の人によって提示されるいかなる変更も、本開示の保護の下に考慮されるであろう。
【図１】
0005896379.tif 000002
【図２】
0005896379.tif 000003
【図３】
0005896379.tif 000004
【図４】
0005896379.tif 000005